【事件の表示】
　特願２００３−　４５３６８「バイオチップ読み取り装置」拒絶査定不服審判事件〔平成１６年　９月１６日出願公開，特開２００４−２５７７３７〕について，次のとおり審決する。
【結　論】
　本件審判の請求は，成り立たない。
【理　由】
１　手続の経緯・本願発明
　本願は，平成１５年２月２４日の特許出願であって，平成１９年１０月９日付けで拒絶査定がなされ，これに対し，平成１９年１１月１２日に拒絶査定不服審判の請求がなされたものである。
　そして，本願の請求項１〜２に係る発明は，平成１９年３月２０日付けの手続補正書により補正された明細書及び図面の記載からみて，その特許請求の範囲の請求項１〜２に記載された事項により特定されるとおりのものであると認められるところ，そのうち請求項１に係る発明（以下，「本願発明」という。）は，次のとおりのものである。
　
「【請求項１】　バイオチップにおける複数のスポットに光を照射し、これにより発生した蛍光を受光して、蛍光物質の存在する前記スポットを特定するバイオチップ読み取り装置であって、
　前記蛍光物質を励起可能なレーザ光を照射する半導体レーザと、
　前記半導体レーザから照射された前記レーザ光を、ガウシアン光からトップハット光に
変換し前記複数のスポットに均一な強度で照射させるように配置された
　
前記バイオチップのセット位置の下流側に設置され
　前記キャピラリプレートを通過した光のうち、
前記レーザ光と干渉してこれを
　を有することを特徴とするバイオチップ読み取り装置。」
　
２　引用刊行物の記載事項
（１）これに対して，原査定の拒絶の理由に引用され，本願特許出願前に頒布された刊行物である，特開２００３−４２９５４号公報（以下，「引用例１」という。）には，図面と共に次の事項が記載されている（下線は，当審が付与したもの）。
　
（１−ア）「【請求項２０】　複数の吸着性領域が、互いに離間して、二次元的に形成された基板を備えた生化学解析用ユニットを載置するサンプルステージと、二次元固体センサを備え、さらに、前記サンプルステージに載置された前記生化学解析用ユニットの前記複数の吸着性領域のそれぞれに対向する位置に、複数の集光レンズが取り付けられたレンズアレイを備えたことを特徴とする生化学解析用データの生成装置。
　　【請求項２１】　さらに、サンプルステージに対して、前記二次元固体センサと反対側に、
励起光を発する励起光源を備えるとともに、前記レンズアレイと前記二次元固体センサの間に、前記励起光の波長の光をカットし、前記励起光よりも波長の長い光を透過する性質を有する励起光カットフィルタを備えた
　　【請求項２２】　前記集光レンズが、開口数の大きいレンズによって構成されたことを特徴とする請求項２０または２１に記載の生化学解析用データの生成装置。
　　【請求項２３】　隣り合う集光レンズのピッチが、前記生化学解析用ユニットの隣り合う吸着性領域のピッチに等しくなるように、前記複数の集光レンズが、前記レンズアレイに取り付けられたことを特徴とする請求項２０ないし２２のいずれか１項に記載の生化学解析用データの生成装置。
　　【請求項２４】　前記二次元固体センサが、冷却ＣＣＤセンサによって構成されたことを特徴とする請求項２０ないし２３のいずれか１項に記載の生化学解析用データの生成装置。
　　【請求項２５】　
前記励起光源が、レーザ励起光源によって構成された
　
（１−イ）「【０００１】
　　【発明の属する技術分野】
　本発明は、生化学解析用データの生成方法および装置に関するものであり、さらに詳細には、本発明は、生体由来の物質と特異的に結合可能で、かつ、塩基配列や塩基の長さ、組成などが既知の特異的結合物質を、担体に、スポット状に滴下して、高密度に、スポット状領域を形成し、スポット状領域に含まれた特異的結合物質に、化学発光基質と接触させることによって化学発光を生じさせる標識物質および／または蛍光物質によって標識された生体由来の物質を特異的に結合させて、選択的に標識して得た生化学解析用ユニットから発せられる化学発光および／または蛍光を光電的に検出して、生化学解析用データを生成し、生体由来の物質を解析する場合にも、化学発光および／または蛍光の散乱に起因するノイズが生化学解析用データ中に生成されることを防止することができる生化学解析用データの生成方法および装置に関するものである。」
　
（１−ウ）「【０００８】
　　【発明が解決しようとする課題】
　近年、メンブレンフィルタなどの担体表面上の異なる位置に、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を滴下して、
複数のスポット状領域を形成し、複数のスポット状領域に含まれた特異的結合物質に、化学発光基質と接触させることによって化学発光を生じさせる標識物質および／または蛍光物質によって標識された生体由来の物質を、ハイブリダイゼーションなどにより、特異的に結合させて、選択的に標識し、
励起光を照射して、蛍光物質から発せられる蛍光を、ＣＣＤカメラなどの光検出器によって、光電的に検出して、生化学解析用データを生成
化学発光や蛍光を、光検出器によって、光電的に検出する際、スポット状領域から発せられた化学発光や蛍光が担体内で散乱し、あるいは、スポット状領域から発せられた化学発光や蛍光が散乱して、隣り合うスポット状領域から発せられた化学発光や蛍光と混ざり合い、その結果、化学発光および／または蛍光を光電的に検出して生成した生化学解析用データ中にノイズを生成するという問題があった
　　　【０００９】
　したがって、本発明は、生体由来の物質と特異的に結合可能で、かつ、塩基配列や塩基の長さ、組成などが既知の特異的結合物質を、
担体に、スポット状に滴下して、高密度に、スポット状領域を形成し、スポット状領域に含まれた特異的結合物質に、
蛍光物質によって標識された生体由来の物質を特異的に結合させて、選択的に標識して得た生化学解析用ユニットから発せられる化学発光および／または蛍光を光電的に検出して、生化学解析用データを生成し、生体由来の物質を解析する場合にも、化学発光および／または蛍光の散乱に起因するノイズが生化学解析用データ中に生成されることを効果的に防止して、定量性に優れた生化学解析用データを生成することができる生化学解析用データの生成方法および装置を提供することを目的とする
　
（１−エ）「【００１１】
　本発明によれば、生化学解析用ユニットは、複数の吸着性領域が、互いに離間して、二次元的に形成された基板を備えているから、生体由来の物質と特異的に結合可能で、かつ、塩基配列や塩基の長さ、組成などが既知の特異的結合物質を、生化学解析用ユニットの複数の吸着性領域に滴下し、複数の吸着性領域に含まれた特異的結合物質に、化学発光基質と接触させることによって化学発光を生じさせる標識物質によって標識された生体由来の物質を特異的に結合させて、選択的に標識して得た生化学解析用ユニットから発せられる化学発光を光電的に検出して、生化学解析用データを生成するときに、
隣り合う吸着性領域から放出された化学発光が混ざり合うことを効果的に防止することができ、したがって、化学発光の散乱に起因するノイズが生化学解析用データ中に生成されることを効果的に防止することが可能
　　　【００１２】
　また、本発明によれば、生化学解析用ユニットは、複数の吸着性領域が、互いに離間して、二次元的に形成された基板を備えているから、生体由来の物質と特異的に結合可能で、かつ、塩基配列や塩基の長さ、組成などが既知の特異的結合物質を、生化学解析用ユニットの複数の吸着性領域に滴下し、複数の吸着性領域に含まれた特異的結合物質に、蛍光物質によって標識された生体由来の物質を特異的に結合させて、選択的に標識し、生化学解析用ユニットの複数の吸着性領域に励起光を照射して、複数の吸着性領域に選択的に含まれた蛍光物質を励起し、蛍光物質から放出された蛍光を、励起光カットフィルタを介して、光電的に検出して、生化学解析用データを生成するときに、
隣り合う吸着性領域から放出された蛍光が混ざり合うことを効果的に防止することができ、したがって、蛍光の散乱に起因するノイズが生化学解析用データ中に生成されることを効果的に防止することが可能
　　　【００１３】
　さらに、本発明によれば、サンプルステージに載置された生化学解析用ユニットの複数の吸着性領域から放出される光を、生化学解析用ユニットの複数の吸着性領域のそれぞれに対向して、配置された複数の集光レンズによって、二次元固体センサに集光し、二次元固体センサによって、光電的に検出して、生化学解析用データを生成するように構成されているから、
生化学解析用ユニットの複数の吸着性領域のそれぞれに対向する複数の集光レンズを、生化学解析用ユニットの複数の吸着性領域に十分に近接させて、複数の吸着性領域から放出される光を集光することによって、高い集光効率で、複数の吸着性領域から放出される光を集光して、二次元固体センサに導くことができ、また、複数の吸着性領域のそれぞれから放出される光を、１枚の集光レンズによって、二次元固体センサに導く場合のように、各吸着性領域から、集光レンズを見込む角度が小さくなって、レンズ内で迷光が発生しやすくなるということがないから、二次元固体センサによって、高感度で、複数の吸着性領域から放出される光を検出し、定量性の高い生化学解析用データを生成することが可能
　
（１−オ）「【００２７】
　本発明の好ましい実施態様においては、前記生化学解析用ユニットの前記複数の吸着性領域が、それぞれ、特異的結合物質を含み、前記複数の吸着性領域に含まれた特異的結合物質に、蛍光物質によって標識された生体由来の物質が、選択的に、特異的に結合され、前記生化学解析用ユニットの前記複数の吸着性領域に、前記サンプルステージに対して、前記二次元固体センサと反対側に位置する励起光源から発せられた励起光を照射して、前記複数の吸着性領域に選択的に含まれた蛍光物質を励起し、蛍光物質から放出された蛍光を、前記複数の集光レンズによって、前記励起光の波長の光をカットし、前記励起光よりも波長の長い光を透過する性質を有する励起孔カットフィルタを介して、前記二次元センサに導き、前記二次元固体センサにより、光電的に検出して、生化学解析用データを生成するように構成されている。
　　　【００２８】
　本発明において、蛍光物質によって標識されているとは、蛍光色素によって標識されている場合と、酵素を標識された試料と結合させた後に、酵素を蛍光基質と接触させて、蛍光基質を、蛍光を発する蛍光物質に変化させ、得られた蛍光物質によって標識されている場合とを包含している。
　　　【００２９】
　本発明の好ましい実施態様においては、前記生体由来の物質が、ハイブリダイゼーション、抗原抗体反応、リセプター・リガンドよりなる群から選ばれた反応によって、前記特異的結合物質と結合されている。」
　
（１−カ）「【００７０】
　本発明の好ましい実施態様においては、生化学解析用データの生成装置は、さらに、サンプルステージに対して、前記二次元固体センサと反対側に、
励起光を発する励起光源を備えるとともに、前記レンズアレイと前記二次元固体センサの間に、前記励起光の波長の光をカットし、前記励起光よりも波長の長い光を透過する性質を有する励起光カットフィルタを備えている
　　　【００７１】
　本発明の好ましい実施態様によれば、生化学解析用データの生成装置は、さらに、サンプルステージに対して、二次元固体センサと反対側に、励起光を発する励起光源を備えるとともに、レンズアレイと二次元固体センサの間に、励起光の波長の光をカットし、励起光よりも波長の長い光を透過する性質を有する励起光カットフィルタを備えているから、生体由来の物質と特異的に結合可能で、かつ、塩基配列や塩基の長さ、組成などが既知の特異的結合物質を、生化学解析用ユニットの複数の吸着性領域に滴下し、複数の吸着性領域に含まれた特異的結合物質に、蛍光物質によって標識された生体由来の物質を特異的に結合させて、選択的に標識して、生化学解析用ユニットの複数の吸着性領域に、蛍光データを記録し、励起光源から発せられた励起光を、生化学解析用ユニットの複数の吸着性領域に照射して、複数の吸着性領域に選択的に含まれた蛍光物質を励起し、蛍光物質から放出された蛍光を、二次元固体センサによって、光電的に検出して、生化学解析用データを生成する場合に、
複数の吸着性領域のそれぞれに対向する複数の集光レンズが取り付けられたレンズアレイを、サンプルステージに載置された生化学解析用ユニットの複数の吸着性領域のそれぞれに十分に近接させて、配置することによって、複数の吸着性領域から放出される蛍光を、高い集光効率で、集光し、励起光カットフィルタを介して、二次元固体センサに導くことができ、また、複数の吸着性領域のそれぞれから放出される蛍光を、１枚の集光レンズによって、二次元固体センサに導く場合のように、各吸着性領域から、集光レンズを見込む角度が小さくなって、レンズ内で迷光が発生しやすくなるということがないから、二次元固体センサによって、高感度で、複数の吸着性領域から放出される蛍光を検出して、定量性の高い生化学解析用データを生成することが可能になる
　　　【００７２】
　本発明の好ましい実施態様においては、前記集光レンズが、開口数の大きいレンズによって構成されている。
　　　【００７３】
　本発明の好ましい実施態様においては、隣り合う集光レンズのピッチが、前記生化学解析用ユニットの隣り合う吸着性領域のピッチに等しくなるように、前記複数の集光レンズが、前記レンズアレイに取り付けられている。
　　　【００７４】
　本発明の好ましい実施態様においては、前記二次元固体センサが、冷却ＣＣＤセンサによって構成されている。
　　　【００７５】
　本発明の好ましい実施態様によれば、二次元固体センサが、冷却ＣＣＤセンサによって構成されているから、長時間にわたって、複数の吸着性領域から放出される光を検出することができ、したがって、微弱な光である化学発光あるいは蛍光を、高い感度で検出し、定量性に優れた生化学解析用データを生成することが可能になる。
　　　【００７６】
　本発明の好ましい実施態様においては、
前記励起光源が、レーザ励起光源によって構成
　
（１−キ）「【００８０】
　図１には正確に示されていないが、本実施態様においては、約１００００の約０．０１平方ミリメートルのサイズを有する貫通孔３が、約５０００個／平方センチメートルの密度で、規則的に、基板２に形成されている。吸着性領域４は、その表面が、基板２の表面と同じ高さに位置するように、多数の貫通孔３内に、ナイロン６が充填されて、形成されている。
　　　【００８１】
　図２は、スポッティング装置の略正面図である。
……
　　　【００８４】
　図３は、ハイブリダイゼーション容器の略縦断面図である。
……
　　　【００８８】
　化学発光基質と接触させることによって化学発光を生じさせる標識物質によって標識された生体由来の物質および蛍光色素などの蛍光物質によって標識された生体由来の物質のうち、２以上の生体由来の物質を含むハイブリダイゼーション溶液９を調製して、ハイブリダイゼーション容器８内に収容させることもでき、本実施態様においては、化学発光基質と接触させることによって化学発光を生じさせる標識物質によって標識された生体由来の物質および蛍光物質によって標識された生体由来の物質を含むハイブリダイゼーション溶液９が調製され、ハイブリダイゼーション容器８内に収容されている。
　　　【００８９】
　ハイブリダイゼーションにあたって、ｃＤＮＡなどの特異的結合物質が、多数の吸着性領域４に吸着されている生化学解析用ユニット１が、ハイブリダイゼーション容器８内に挿入される。
　　　【００９０】
　その結果、多数の吸着性領域４に吸着されている特異的結合物質に、化学発光基質と接触させることによって化学発光を生じさせる標識物質によって標識された生体由来の物質および蛍光色素などの蛍光物質によって標識された生体由来の物質が、選択的に、ハイブリダイズされる。
　　　【００９１】
　こうして、生化学解析用ユニット１の多数の吸着性領域４に、化学発光データおよび蛍光データが記録される。」
　
（１−ク）「【００９２】
　図４は、本発明の好ましい実施態様にかかる生化学解析用データの生成装置の略断面図である。
　　　【００９３】
　
本実施態様にかかる生化学解析用データの生成装置は、生化学解析用ユニット１の多数の吸着性領域４に記録された蛍光データを読み取り可能に構成されており、図４に示されるように、冷却ＣＣＤエリアセンサ２０と、冷却ＣＣＤエリアセンサ２０の前面に配置された励起光カットフィルタ部材２１
生化学解析用ユニット１の多数のドット状の吸着性領域４に対応した位置に、複数の凸レンズ２２が形成されたレンズアレイ２３と、レーザ光２６を発するレーザ励起光源２７と、レーザ励起光源２０から発せられたレーザ光２６を発散させて、サンプルステージ２５のガラス板２４上に載置された生化学解析用ユニット１に入射させる凹レンズ２８とを備えている
　　　【００９４】
　
レーザ励起光源２７としては、生化学解析用ユニット１に形成された多数の吸着性領域４に含まれている蛍光物質を効率的に励起可能な波長のレーザ光２６を発するレーザ励起光源が選択され
　　　【００９５】
　したがって、本実施態様において、
励起光カットフィルタ部材２１は、レーザ励起光源２７から発せられるレーザ光２６の波長に等しい４７３ｎｍの波長の光をカットし、４７３ｎｍよりも波長の長い光を透過する性質を有している
　
（１−ケ）「【０１０４】
　レーザ励起光源２７から発せられた４７３ｎｍの波長のレーザ光２６は、凹レンズ２８に入射し、発散されて、サンプルステージ２５のガラス板２４上に載置された生化学解析用ユニット１の全面に、レーザ光２６が照射される。
　　　【０１０５】
　レーザ光２６の照射を受けると、各吸着性領域４に含まれている蛍光物質、たとえば、Ｃｙ３が励起されて、蛍光２９が放出される。
　　　【０１０６】
　
ドット状の吸着性領域４から放出された蛍光２９は、それぞれ、各吸着性領域４に対向し、近接して配置された凸レンズ２２に入射し、励起光カットフィルタ部材２１の対向する領域に集光される
　　　【０１０７】
　ここに、励起光によって、蛍光物質が励起されて、放出する蛍光２９の波長は、励起光の波長よりも長く、本実施態様においては、
励起光カットフィルタ部材２１が、レーザ励起光源２７から発せられるレーザ光２６の波長に等しい４７３ｎｍの波長の光をカットし、４７３ｎｍよりも波長の長い光を透過する性質を有しているから、４７３ｎｍの波長の光がカットされ、吸着性領域４に含まれている蛍光物質から放出された蛍光２９のみが、励起光カットフィルタ部材２１を透過して、ＣＣＤ３０の光電面に入射して、光電面に画像を形成する
　
（１−コ）「【０１１５】
　本実施態様においては、
レーザ励起光源２７から発せられたレーザ光２６は、凹レンズ２８によって、発散され、サンプルステージ２５のガラス板２４上に載置された生化学解析用ユニット１の全面に、レーザ光２６が照射され、生化学解析用ユニット１にドット状に形成された吸着性領域４に含まれている蛍光物質が励起されて、蛍光２９が放出される。レンズアレイ２３は、サンプルステージ２５に載置された生化学解析用ユニット１に近接して配置され、生化学解析用ユニット１にドット状に形成された各吸着性領域４に対向する位置に、それぞれ、凸レンズ２２を備えているから、各吸着性領域４から放出された蛍光２９は、レンズアレイ２３の対応する凸レンズ２２によって、励起光カットフィルタ部材２１の対応する領域に集光され、レーザ光２６の波長成分の光がカットされ、レーザ光２６よりも波長の長い蛍光２９のみが、励起光カットフィルタ部材２１を透過して、冷却ＣＣＤエリアセンサ２０のＣＣＤ３０によって、光電的に検出され
　　　【０１１６】
　したがって、本実施態様によれば、生化学解析用ユニット１に、高密度に、ドット状の吸着性領域４を形成した場合にも、各吸着性領域４から放出された蛍光２９のみを、対向する凸レンズ２２によって集光し、励起光カットフィルタ２１を介して、冷却ＣＣＤエリアセンサ２０のＣＣＤ３０に導くことができるから、高い感度で、蛍光２９を検出して、生化学解析用データを生成することが可能になる。」
　
（１−サ）「【０１４４】
　さらに、図４および図５に示された実施態様においては、４７３ｎｍの波長のレーザ光２６を発するレーザ励起光源２７が用いられ、したがって、４７３ｎｍの波長の光をカットし、４７３ｎｍよりも波長の長い光を透過する性質を有する励起光カットフィルタ２１が用いられているが、生体由来の物質を標識している蛍光物質に応じて、蛍光物質を効率的に励起可能なレーザ光２６を発するレーザ励起光源２７を用いることができ、４７３ｎｍの波長のレーザ光２６を発するレーザ励起光源２７に代えて、たとえば、５３２ｎｍの波長のレーザ光を発する第二高調波生成（Second Harmonic Generation)素子や、
６４０ｎｍの波長のレーザ光を発する半導体レーザ励起光源を用いることもできる
……
　　　【０１４６】
　さらに、図４および図５に示された実施態様においては、凹レンズ２８を用いて、レーザ励起光源２７から発せられたレーザ光２を発散させ、生化学解析用ユニット１の全面が、レーザ光２６により照射されるように構成されているが、レーザ光２６を発散させて、生化学解析用ユニット１の全面を照射させる手段は、任意に選択することができ、凹レンズ２８を用いることは必ずしも必要でない。」
　
（１−シ）「【０１５７】
　　【発明の効果】
　本発明によれば、…
化学発光および／または蛍光の散乱に起因するノイズが生化学解析用データ中に生成されることを効果的に防止して、定量性に優れた生化学解析用データを生成することができる生化学解析用データの生成方法および装置を提供することが可能になる
　
　上記の記載事項（１−ア）〜（１−シ）と図面，特に図４を総合すると，引用例１には，以下の発明が記載されていると認められる。
　
「生化学解析用ユニット１の多数のドット状の吸着性領域４にレーザ光２６を照射し，前記吸着性領域４に含まれている蛍光物質から放出された蛍光２９を冷却ＣＣＤエリアセンサ２０によって光電的に検出して，前記生化学解析用ユニット１の多数のドット状の前記吸着性領域４に記録された蛍光データを読み取り可能に構成された生化学解析用データの生成装置であって，
　前記蛍光物質を効率的に励起可能な波長のレーザ光２６を発する半導体レーザ励起光源２７と，
　前記レーザ光２６を発散させて，前記生化学解析用ユニット１の全面を照射させるための凹レンズ２８と，
　前記生化学解析用ユニット１の多数のドット状の前記吸着性領域４に対応した位置に複数の凸レンズ２２が形成され，前記吸着性領域４から放出された蛍光２９を集光するためのレンズアレイ２３と，
　前記レンズアレイ２３によって集光された光のうち，前記レーザ励起光源２７から発せられるレーザ光２６の波長に等しい波長の光をカットし，それよりも波長の長い前記蛍光２９を透過する性質を有する励起光カットフィルタ部材２１とを有する生化学解析用データの生成装置。」（以下，「引用発明」という。）
　
（２）また，原査定の拒絶の理由に引用され，本願特許出願前に頒布された刊行物である，特開２００１−２３６４９０号公報（以下，「引用例２」という。）には，図面と共に次の事項が記載されている（下線は，当審が付与したもの）。
　
（２−ア）「【請求項２】　前記光フィルタ部品は、
　前記光源から発せられ、前記プリズムの光入射面から入射した光のうち、前記接触面において反射した光のみが当該光フィルタ部品の光入射面に前記所定の入射角で入射するように配置されている
ことを特徴とする請求項１に記載のパターン検出装置。
……
　　【請求項５】　前記光フィルタ部品は、
　互いに略平行に形成された複数の光通過孔を有してなり、前記複数の光通過孔それぞれと交差するように前記光入射面と前記光出射面とを形成した光学部品である
ことを特徴とする請求項１に記載のパターン検出装置。
　　【請求項６】　前記光フィルタ部品は、
　複数の光ファイバを配列してなり、前記複数の光ファイバそれぞれと交差するように前記光入射面と前記光出射面とを形成したファイバ光学部品である
ことを特徴とする請求項１に記載のパターン検出装置。」
　
（２−イ）「【００１３】
　また、本発明のパターン検出装置においては、上記光フィルタ部品は、互いに略平行に形成された複数の光通過孔を有してなり、上記複数の光通過孔それぞれと交差するように上記光入射面と上記光出射面とを形成した光学部品であることを特徴としてもよい。
　　　【００１４】
　光フィルタ部品をかかる構成にすることで、光入射面に入射した光のうち光通過孔の軸方向に伝搬する光のみが光出射面まで伝搬する。従って、光入射面に対して所定の入射角で入射する光を光出射面まで伝搬させて光出射面から出射させる光フィルタ部品が容易に実現できる。
　　　【００１５】
　また、本発明のパターン検出装置においては、上記光フィルタ部品は、複数の光ファイバを配列してなり、上記複数の光ファイバそれぞれと交差するように上記光入射面と上記光出射面とを形成したファイバ光学部品であることを特徴としてもよい。」
　
（２−ウ）「【００２２】
　図３は、光学部品１４の斜視図であり、図４は、図３の部分１４ｐの拡大図である。光学部品１４は、図３及び図４に示すように、光透過性で棒状の形状を有する複数のコア１４ｃ（棒状部材）を略平行に配列するとともに複数のコア１４ｃそれぞれの間隙に光吸収材１４ｄを満たしてなり、上記複数のコア１４ｃそれぞれと垂直に交差するように光入射面１４ａと光出射面１４ｂとを形成して構成される。…光学部品１４は、光入射面１４ａに垂直に入射する光のみを光出射面１４ｂまで伝搬させて光出射面１４ｂから出射させる光フィルタ部品として機能する。」
　
（２−エ）「【００３８】
　上記実施形態にかかるパターン検出装置には種々の変形例が考えられる。例えば、上記実施形態にかかるパターン検出装置１０においては、
光フィルタ部品として、光透過性で棒状の形状を有する複数のコア１４ｃを略平行に配列するとともに複数のコア１４ｃそれぞれの間隙に光吸収材１４ｄを満たしてなる光学部品を用いていたが、これは、図６及び図７に示すようなキャピラリープレート３０であってもよい
　
３　対比
　本願発明と引用発明とを対比すると，その構造および機能からみて，引用発明の「多数のドット状の吸着性領域４」，「生化学解析用ユニット１」，及び「前記蛍光物質を効率的に励起可能な波長のレーザ光２６を発する半導体レーザ励起光源２７」は，それぞれ，本願発明の「複数のスポット」，「バイオチップ」，及び「前記蛍光物質を励起可能なレーザ光を照射する半導体レーザ」に相当する。そして，引用発明の「生化学解析用データの生成装置」は，「前記吸着性領域４に含まれている蛍光物質から放出された蛍光２９を冷却ＣＣＤエリアセンサ２０によって光電的に検出して，前記生化学解析用ユニット１の多数のドット状の前記吸着性領域４に記録された蛍光データを読み取り可能に構成された」ものであるから，本願発明の「蛍光物質の存在する前記スポットを特定するバイオチップ読み取り装置」に相当するものであることは明らかである。
　また，引用発明の「前記レーザ光２６を発散させて，前記生化学解析用ユニット１の全面を照射させるための凹レンズ２８」は，本願発明の「前記半導体レーザから照射された前記レーザ光を、ガウシアン光からトップハット光に変換し前記複数のスポットに均一な強度で照射させるように配置されたビームシェーパー」と，「前記レーザから照射された前記レーザ光を，前記複数のスポットの全面に照射させるように配置された光学部材」の点で共通する。
　また，引用発明の「前記生化学解析用ユニット１の多数のドット状の前記吸着性領域４に対応した位置に複数の凸レンズ２２が形成され，前記吸着性領域４から放出された蛍光２９を集光するためのレンズアレイ２３」は，本願発明の「前記バイオチップのセット位置の下流側に設置され散乱した前記蛍光をコリメートするキャピラリプレート」と，「前記バイオチップのセット位置の下流側に設置され，放射された前記蛍光の発散を抑制する光学部材」の点で共通する。
　また，引用発明の「前記レンズアレイ２３によって集光された光のうち，前記レーザ励起光源２７から発せられるレーザ光２６の波長に等しい波長の光をカットし，それよりも波長の長い前記蛍光２９を透過する性質を有する励起光カットフィルタ部材２１」は，本願発明の「前記キャピラリプレートを通過した光のうち、前記レーザ光と干渉してこれを遮断し、前記蛍光を透過する干渉フィルタ」と，「入射した光のうち，前記レーザ光を遮断し，前記蛍光を透過するフィルタ」の点で共通する。
　
　そうすると，両者は，　
［一致点］
「バイオチップにおける複数のスポットに光を照射し，これにより発生した蛍光を受光して，蛍光物質の存在する前記スポットを特定するバイオチップ読み取り装置であって，
　前記蛍光物質を励起可能なレーザ光を照射する半導体レーザと，
　前記レーザから照射された前記レーザ光を，前記複数のスポットの全面に照射させるように配置された光学部材と，
　前記バイオチップのセット位置の下流側に設置され，放射された前記蛍光の発散を抑制する光学部材と，
　入射した光のうち，前記レーザ光を遮断し，前記蛍光を透過するフィルタと，
　を有するバイオチップ読み取り装置。」
である点で一致し，以下の点で相違するといえる。
　
［相違点１］
　「前記レーザから照射された前記レーザ光を，前記複数のスポットの全面に照射させるように配置された光学部材」として，本願発明は「ガウシアン光からトップハット光に変換し前記複数のスポットに均一な強度で照射させるように配置されたビームシェーパー」を用いるものであるのに対して，引用発明は，「前記レーザ光２６を発散させて，前記生化学解析用ユニット１の全面を照射させるための凹レンズ２８」を用いるものであるが，本願発明のような「ビームシェーパー」を備えていない点。
　
［相違点２］
　「前記バイオチップのセット位置の下流側に設置され，放射された前記蛍光の発散を抑制する光学部材」として，本願発明では，放射された前記蛍光を「コリメートするキャピラリプレート」を用いるのに対して，引用発明では「前記生化学解析用ユニット１の多数のドット状の前記吸着性領域４に対応した位置に複数の凸レンズ２２が形成され，前記吸着性領域４から放出された蛍光２９を集光するためのレンズアレイ２３」を用いる点。
　
［相違点３］
　「前記レーザ光を遮断し，前記蛍光を透過するフィルタ」として，本願発明では，「前記レーザ光と干渉してこれを遮断」する「干渉フィルタ」を用いるものであるのに対して，引用発明では，「前記レーザ励起光源２７から発せられるレーザ光２６の波長に等しい波長の光をカットし，それよりも波長の長い前記蛍光２９を透過する性質を有する励起光カットフィルタ部材２１」を用いるものであって，これが本願発明のような「干渉フィルタ」であるか定かではない点。
　
４　判断
　以下，上記相違点について検討する。
　
［相違点１］について
　引用発明のように，担体上の複数の試料に対して励起光を照射することによって放出される蛍光を検出する装置において，すべての試料に対して均一に励起光を照射すべきであることは，例えば，特開２００１−８３０９０号公報（【０００６】，【００２２】），特開２００２−３５０３５０号公報（【００１６】）の記載などからみて，従前周知の課題であったといえる。
　他方，一般に，レーザ光が光軸に垂直な面内でガウシアン強度分布を有するものであることは，例えば，原査定の拒絶の理由において引用された特開２００２−１３９６９６号公報（【０００１】）の記載に例示されるように，従前周知の事項であって，そのようなガウシアン強度分布を均一な強度分布に変換するための光学部材もまた，例えば，前述の特開２００２−１３９６９６号公報や，同様に原査定の拒絶の理由において引用された特開平８−９４８３９号公報の記載に例示されるように，従前周知のものであるといえる。
　そうしてみると，レーザ光を担体上の複数の試料の全面に励起光として照射する引用発明において，すべての試料に対して均一に励起光を照射すべきであるという上記従前周知の課題が内在することは当業者には自明の事項であるところ，引用発明に内在するこの課題を解決するために，引用発明において，上記従前周知のガウシアン強度分布を均一な強度分布に変換するための光学部材を，凹レンズ２８に代えて又はこれに加えて，採用することによって，上記相違点１に係る本願発明の構成とすることは，当業者にとって格別の技術的困難性がなく，容易になし得る事項であるといえる。
　
［相違点２］について
　引用例２には，上記記載事項（２−ア）〜（２−エ）のとおり，複数のコアを略平行に配列した光ファイバ束からなる光学部品を，試料から生じた光をその位置情報を維持しながら分離検出するための手段として用いる旨が記載され，また，キャピラリプレートが同様の作用機能を有する光学部品である旨（特に，上記記載事項（２−エ）参照。）が記載されている。
　そして，複数のコアを略平行に配列した光ファイバ束（しばしば「光ファイバフェースプレート」とも呼ばれる。）は，引用発明のように微弱な蛍光をその位置情報を維持しながら効率的に冷却ＣＣＤ等の光電検出器へと導くための手段として，例えば，特表平２−５００６１３号公報（６頁右下欄下から４行〜７頁左上欄１０行，７頁右下欄１３行〜８頁右上欄１２行，図２〜３（符号３２，１８参照））及び特表平５−５０５４５７号公報（４頁左上欄下から５行〜同頁右上欄４行，７頁左上欄３〜１８行，図３〜４）の記載に例示されるように，従前周知の技術である。
　そうしてみると，引用発明における「前記生化学解析用ユニット１の多数のドット状の前記吸着性領域４に対応した位置に複数の凸レンズ２２が形成され，前記吸着性領域４から放出された蛍光２９を集光するためのレンズアレイ２３」は，位置情報を維持しながら効率的に光電検出器へと導くための手段であるところ，引用発明において，この「レンズアレイ２３」代えて，同様の機能を有する引用例２に記載の「キャピラリプレート」を用いることによって，上記相違点２に係る本願発明の構成とすることは，当業者にとって格別の技術的困難性がなく，容易になし得る事項であるといえる。
　
［相違点３］について
　励起光を遮断するカットフィルタとして，干渉フィルタは，例えば，特開平１１−１４２４０８号公報（【０００７】）に例示されるように，周知慣用の技術的手段であるから，引用発明において，上記相違点３に係る本願発明の構成とすることは，当業者にとって格別の技術的困難性がなく，容易になし得る事項であるといえる。
　
　そして，本願明細書に記載された本願発明の効果も，引用発明及び従来周知の事項から当業者であれば予測し得る範囲内のものであり，格別顕著なものとはいえない。
　
５　結び
　以上のとおり，本願発明は，引用発明及び従来周知の事項に基づいて，当業者が容易に発明をすることができたものであり，特許法第２９条第２項の規定により特許を受けることができないから，本願は，他の請求項に係る発明について検討するまでもなく，拒絶されるべきものである。
　
　よって，結論のとおり審決する。